【手続補正書】
【提出日】平成29年5月12日(2017.5.12)
【手続補正１】
【補正対象書類名】特許請求の範囲
【補正対象項目名】全文
【補正方法】変更
【補正の内容】
【特許請求の範囲】
【請求項１】
フィルムインフレーションおよびシーリング機械の一つ以上のパラメータを変更する方法であって、
フィルムを膨張させてシールして、梱包材料を形成するように構成された装置を準備することと、
フィルム材料から成る供給物を供給することと、
前記供給材料の構成を識別することと、
前記供給材料の構成に従って、事前に記憶した複数のレシピの中から１つのレシピの選択を受け取ることと、
を含み、
前記選択されたレシピは、前記機械の一つ以上の動作パラメータを決定する方法。
【請求項２】
前記供給材料の構成は、前記供給材料の一つ以上の特性を含む、請求項１に記載の方法。
【請求項３】
前記一つ以上の特性は、前記供給材料の厚さを含む、請求項１に記載の方法。
【請求項４】
前記供給材料の構成を識別することは、前記供給材料の一つ以上の特性をセンサによって検出することを含む、請求項２に記載の方法。
【請求項５】
前記供給材料の構成を識別することは、センサによって、前記供給材料に接続または埋め込まれた、前記供給材料の構成を示す材料データを検出することを含む、請求項１に記載の方法。
【請求項６】
前記センサは、無線周波識別センサである、請求項５に記載の方法。
【請求項７】
前記材料データは、前記材料に接続されたバーコードまたはクイックレスポンスコードとして記憶されている、請求項５に記載の方法。
【請求項８】
インフレーションおよびシーリングアセンブリの一つ以上のパラメータを変更する方法であって、
複数のレシピから所定のレシピを選択することと、
前記所定のレシピに基づいて動作するように、前記インフレーションおよびシーリングアセンブリを構成することと、
を含み、
前記所定のレシピは、前記インフレーションおよびシーリングアセンブリの複数の構成要素の設定値を含む方法。
【請求項９】
前記所定のレシピに基づく前記設定値を用いて、前記インフレーションおよびシーリングアセンブリを作動させることをさらに含む、請求項８に記載の方法。
【請求項１０】
前記所定のレシピを選択することは、一つ以上の材料に対応する一つ以上のアイコンをディスプレイ上に表示することと、前記一つ以上のアイコンのうちの第１のアイコンを識別するユーザ入力を受け取ることと、を含み、
前記所定のレシピを選択することは、前記第１のアイコンに対応する１つ以上の材料に基づく、請求項８に記載の方法。
【請求項１１】
前記ユーザ入力は、前記ディスプレイを介してまたは入力装置を介して受け取られる、請求項１０に記載の方法。
【請求項１２】
前記所定のレシピを選択することは、第１の材料に対応する材料入力を受け取ることと、メモリコンポーネントから、前記第１の材料に対応する第１のレシピを検索することと、を含む、請求項８に記載の方法。
【請求項１３】
材料入力を受け取ることは、無線周波識別センサによって前記第１の材料を走査することと、前記第１の材料に接続された無線周波識別タグから材料データを検索することと、を含む、請求項１２に記載の方法。
【請求項１４】
材料入力を受け取ることは、センサによって、前記第１の材料の一つ以上の材料特性を検出することを含む、請求項１３に記載の方法。
【請求項１５】
前記所定のレシピを選択することは、第１の材料に対応する材料入力を受け取ることと、前記第１の材料に対応する第１のレシピを計算装置から検索することと、を含む、請求項８に記載の方法。
【請求項１６】
機械の一つ以上のパラメータを変更する方法であって、
材料、材料サイズ、所望の膨張速度、インフレーションポケットの形状寸法または送給速度のうちの少なくとも一つに基づいて、第１のパラメータを変更することと、
前記第２のパラメータが前記第１のパラメータに機能的に関連しているか否かを判断するために、第２のパラメータを分析することと、
前記第２のパラメータが前記第１のパラメータに機能的に関連している場合に、前記第１のパラメータに対する変更に対応するように、前記第２のパラメータを調整することと、
前記第２のパラメータが前記第１のパラメータに機能的に関連していない場合には、前記第２のパラメータを調整しないことと、
を含む方法。
【請求項１７】
処理要素は、前記第２のパラメータが、前記第１のパラメータに機能的に関連しているか否かを判断するために前記第２のパラメータを分析する、請求項１６に記載の方法。
【請求項１８】
前記第２のパラメータが前記第１のパラメータに機能的に関連している場合、前記第２のパラメータに対する第２の変更を決定するために前記第１のパラメータに対する第１の変更を分析することをさらに含み、前記第２の変更は所定の関係で前記第１の変更に関連している、請求項１６に記載の方法。
【請求項１９】
前記材料、前記材料のサイズ、前記所望の膨張速度、前記インフレーションポケットの形状寸法または前記送給速度のうちの少なくとも一つを含む材料データを受け取ることと、
前記第１のパラメータに対する第１の変更を決定するために前記材料データを分析することと、
をさらに含む、請求項１６に記載の方法。
【請求項２０】
処理要素がそれと通信する入力／出力構成要素から前記材料データを受信する、請求項１９に記載の方法。
【請求項２１】
前記入力／出力構成要素は、バーコードスキャナ、無線周波識別装置、キーボード、表示スクリーンまたはマウスのうちの少なくとも一つである、請求項２０に記載の方法。
【請求項２２】
梱包材料を形成する方法であって、
梱包材料の少なくとも一つの材料パラメータを選択することと、
前記少なくとも一つの材料パラメータに基づいて、第１の機械パラメータの設定を決定することと、
前記設定に基づいて、前記第１の機械パラメータを調整することと、
前記第１の機械パラメータの設定に基づいて、第２の機械パラメータを調整すべきか否かを決定することと、
前記決定に基づいて、前記第２の機械パラメータを調整することと、
を含む方法。
【請求項２３】
前記第２の機械パラメータは、前記第１のパラメータの前記設定値に関連する方法で調整される、請求項２２に記載の方法。
【請求項２４】
前記第１のパラメータはドラムモータであり、前記第２のパラメータは制動機構である、請求項２２に記載の方法。
【請求項２５】
材料の供給物を受け取るスピンドルと、
前記スピンドルに作動可能に接続された制動機構であって、前記材料の供給物に摩擦力を選択的に印加する制動機構と、
前記制動機構と通信する制御システムであって、前記制動機構によって印加される前記摩擦力を選択的に変化させる制御システムと、
を含むインフレーションおよびシーリングアセンブリ。
【請求項２６】
前記制動機構は電動ブレーキである、請求項２５に記載のインフレーションおよびシーリングアセンブリ。
【請求項２７】
前記制御システムは、前記材料に対応するレシピに基づいて前記摩擦力を変化させる、請求項２５に記載のインフレーションおよびシーリングアセンブリ。
【請求項２８】
インフレーションおよびシーリングアセンブリを作動させる方法であって、
梱包材料の少なくとも一つの材料パラメータを選択することと、
前記少なくとも一つの材料パラメータに基づいて、前記インフレーションおよびシーリングアセンブリの少なくとも一つの構成要素における増加プロファイルを決定することと、
を含む方法。
【請求項２９】
前記少なくとも一つの構成要素における減少プロファイルを決定することをさらに含む、請求項２８に記載の方法。
【請求項３０】
前記少なくとも一つの構成要素は、ドラムモータまたは制動機構の少なくとも一方である、請求項２８に記載の方法。
【請求項３１】
材料のウェブから成る第１および第２の重なり合ったフィルム層の間への挿入のために構成されたインフレーションアセンブリであって、前記層の間に流体を案内して、前記ウェブを膨張させるために構成された流体導管を有するインフレーションアセンブリと、
前記層を一緒にシールして、その中に前記流体を封入するシーリング機構と、
前記材料のウェブの膨張されていない部分を支持する支持要素と、
前記インフレーションアセンブリおよび前記支持要素と電気的に通信する制御部であって、前記制御部が、前記供給材料の構成に対応する識別子を受け取り、前記供給材料の構成に従って、事前に記憶した複数のレシピから１つのレシピを選択し、前記選択されたレシピに基づいて前記インフレーションアセンブリまたはシーリング機構の一つ以上の動作パラメータを変えるように構成される制御部と、
を含むウェブインフレーション装置。
【請求項３２】
前記所定のレシピを選択することは、センサによって、前記供給材料に接続または埋め込まれた、事前に記憶したレシピを示すデータを検出することを含む、請求項８に記載の方法。